【事件の表示】
　特願２００７−　５９２５５号「粒状の動物用排泄物処理材及び製造方法」拒絶査定不服審判事件〔平成１９年　８月　２日出願公開、特開２００７−１９００２６号〕について、次のとおり審決する。
【結　論】
　本件審判の請求は、成り立たない。
【理　由】
第１　手続の経緯
　本願は、平成１２年１２月２９日に出願した特願２０００−４０４９４８号の一部を平成１６年１１月４日に新たな特許出願特願２００４−３２１３６２号とし、さらにその一部を平成１９年３月８日に新たな特許出願としたものであって、平成２３年１０月２５日付けで拒絶査定がされ、この査定に対し、平成２４年２月２２日に本件審判請求されるとともに、審判請求と同時に手続補正がなされたものである。
　その後、平成２４年９月６日付けで、審判請求人に前置報告書の内容を示し意見を求めるための審尋を行ったところ、同年１２月３日及び５日に回答書が、同７日に回答書の手続補正書が提出された。
　なお、審判請求人は、審理終結通知後に審理再開申立書を提出しているが、「申立の理由」をみても、審理を再開する必要を認めなかった。
　
第２　平成２４年２月２２日付けの手続補正についての補正却下の決定
　［補正却下の決定の結論］
　平成２４年２月２２日付けの手続補正（以下「本件補正」という。）を却下する。
　
　［理由］
１．補正後の各請求項に記載された発明
　本件補正により、特許請求の範囲の【請求項１】〜【請求項５】は、
「【請求項１】
トイレットペーパー廃材、ティッシュペーパー廃材、化粧紙廃材、紙ナプキン廃材、ちり紙廃材、紙綿廃材、紙タオル廃材、便座シート廃材又は便座シート廃材等の動物用排泄物処理材の廃材、寝具用シーツ廃材、マスク廃材、アイマスク廃材、座席用ヘッドカバー廃材、枕カバー廃材、バフ粉、ダンボール屑、新聞屑、雑誌屑、木材屑、鉋屑若しくは不織布屑又はこれらの中の二以上を５ｍｍ以下の粒度に粉砕し、この粉砕物を、水の存在下に粒状に成形し、成形された粒状物の面上に、繊維質の廃棄物及び吸水性樹脂を含む被覆材料を付着させて、尿に触れて相互に接着する性質を有する被覆材料層を形成し、前記被覆材料層に、コーヒー飲料産業から排出されるコーヒー液抽出残渣を温水又は熱水で抽出し、この抽出液の液量を４／５以下の量に濃縮して得た濃縮液を含浸させ、これを乾燥することにより、０．３重量％以上のコーヒー抽出液の乾燥物を含有して、尿に触れて相互に接着する性質を有する被覆材料層とすることを特徴とする粒状の動物用排泄物処理材の製造方法。
【請求項２】
トイレットペーパー廃材、ティッシュペーパー廃材、化粧紙廃材、紙ナプキン廃材、ちり紙廃材、紙綿廃材、紙タオル廃材、便座シート廃材又は便座シート廃材等の動物用排泄物処理材の廃材、寝具用シーツ廃材、マスク廃材、アイマスク廃材、座席用ヘッドカバー廃材、枕カバー廃材、バフ粉、ダンボール屑、新聞屑、雑誌屑、木材屑、鉋屑若しくは不織布屑又はこれらの中の二以上を５ｍｍ以下の粒度に粉砕し、この粉砕物と、焙煎コーヒー豆の抽出残渣の粉砕物若しくは茶殻の粉砕物又は焙煎コーヒー豆の抽出残渣の粉砕物及び茶殻の粉砕物とを混合し、この混合物を水の存在下に粒状に成形し、成形された粒状物の面上に、繊維質の廃棄物及び吸水性樹脂を含む被覆材料を付着させて尿に触れて相互に接着する性質を有する被覆材料層を形成し、前記被覆材料層に、コーヒー飲料産業から排出されるコーヒー液抽出残渣を温水又は熱水で抽出し、この抽出液の液量を４／５以下の量に濃縮して得た濃縮液を含浸させ、これを乾燥することにより、０．３重量％以上のコーヒー抽出液の乾燥物を含有して、尿に触れて相互に接着する性質を有する被覆材料層とすることを特徴とする粒状の動物用排泄物処理材の製造方法。
【請求項３】
トイレットペーパー廃材、ティッシュペーパー廃材、化粧紙廃材、紙ナプキン廃材、ちり紙廃材、紙綿廃材、紙タオル廃材、便座シート廃材又は便座シート廃材等の動物用排泄物処理材の廃材、寝具用シーツ廃材、マスク廃材、アイマスク廃材、座席用ヘッドカバー廃材、枕カバー廃材、バフ粉、ダンボール屑、新聞屑、雑誌屑、木材屑、鉋屑若しくは不織布屑又はこれらの中の二以上を５ｍｍ以下の粒度に粉砕し、この粉砕物と吸水性樹脂とを混合し、この混合物を水の存在下に粒状に成形し、成形された粒状物の面上に、繊維質の廃棄物及び吸水性樹脂を含む被覆材料を付着させて尿に触れて相互に接着する性質を有する被覆材料層を形成し、前記被覆材料層に、コーヒー飲料産業から排出されるコーヒー液抽出残渣を温水又は熱水で抽出し、この抽出液の液量を４／５以下の量に濃縮して得た濃縮液を含浸させ、これを乾燥することにより、０．３重量％以上のコーヒー抽出液の乾燥物を含有して、尿に触れて相互に接着する性質を有する被覆材料層とすることを特徴とする粒状の動物用排泄物処理材の製造方法。
【請求項４】
トイレットペーパー廃材、ティッシュペーパー廃材、化粧紙廃材、紙ナプキン廃材、ちり紙廃材、紙綿廃材、紙タオル廃材、便座シート廃材又は便座シート廃材等の動物用排泄物処理材の廃材、寝具用シーツ廃材、マスク廃材、アイマスク廃材、座席用ヘッドカバー廃材、枕カバー廃材、バフ粉、ダンボール屑、新聞屑、雑誌屑、木材屑、鉋屑若しくは不織布屑又はこれらの中の二以上を５ｍｍ以下の粒度に粉砕し、この粉砕物と、焙煎コーヒー豆の抽出残渣の粉砕物若しくは茶殻の粉砕物又は焙煎コーヒー豆の抽出残渣の粉砕物及び茶殻の粉砕物と、吸水性樹脂とを混合し、この混合物を水の存在下に粒状に成形し、成形された粒状物の面上に、繊維質の廃棄物及び吸水性樹脂を含む被覆材料を付着させて尿に触れて相互に接着する性質を有する被覆材料層を形成し、前記被覆材料層に、コーヒー飲料産業から排出されるコーヒー液抽出残渣を温水又は熱水で抽出し、この抽出液の液量を４／５以下の量に濃縮して得た濃縮液を含浸させ、これを乾燥することにより、０．３重量％以上のコーヒー抽出液の乾燥物を含有して、尿に触れて相互に接着する性質を有する被覆材料層とすることを特徴とする粒状の動物用排泄物処理材の製造方法。
【請求項５】
被覆材料層に、コーヒー飲料産業から排出されるコーヒー液抽出残渣を温水又は熱水で抽出し、この抽出液の液量を４／５以下の量に濃縮して得た濃縮液に、お茶飲料産業から排出される茶殻を温水又は熱水で抽出し、この抽出液の液量を４／５以下の量に濃縮して得た濃縮液を混合して得た混合液を含浸させ、これを乾燥することにより、０．３重量％以上のコーヒー抽出液の乾燥物及び茶殻抽出液の乾燥物を含有して、尿に触れて相互に接着する性質を有する被覆材料層とすることを特徴とする請求項１乃至４の何れか一項に記載の粒状の動物用排泄物処理材の製造方法。」と補正された。
　
２．補正の目的に関して
　上記請求項に係る補正のうち独立請求項である請求項１〜４に係る補正は、補正前の請求項１０〜１３に対応して、それぞれ記載された発明を特定するために必要な事項である
(a)「５ｍｍ以下の粒度に粉砕」する材料の選択肢について、「便座シート廃材等の動物用排泄物処理材の廃材」とは別の「便座シート廃材」を追加し、
(b)被覆材料層について、「尿に触れて相互に接着する性質を有する」ものと限定し、
(c)濃縮液を含浸させる部位を、補正前の「被覆材料層上」から「被覆材料層」に変更し、
(d)「コーヒー抽出液の液量を４／５以下の量に濃縮した濃縮液」について、「コーヒー飲料産業から排出されるコーヒー液抽出残渣を温水又は熱水で抽出し、この」抽出液の液量を４／５以下の量に濃縮し「て得」た濃縮液と限定し、
(e)「濡れて粘着機能を発揮する性質を有する被覆層部を形成する」ことについて、「尿に触れて相互に接着する性質を有する被覆材料層とする」に変更するものである。
　
　そこで、(a)〜(e)が、平成１８年法律第５５号改正附則第３条第１項によりなお従前の例によるとされる同法による改正前の特許法第１７条の２第４項の規定に適合するものであるかについて検討する。
　上記(b)(d)は、補正前の請求項１０に記載された発明を特定するために必要な事項を限定するものであり、かつ、補正前の請求項１０に記載された発明と補正後の請求項１に記載される発明の産業上の利用分野及び解決しようとする課題が同一であるので、本件補正は、平成１８年法律第５５号改正附則第３条第１項によりなお従前の例によるとされる同法による改正前の特許法第１７条の２第４項第２号の特許請求の範囲の減縮を目的とするものに該当する。
　また、上記(e)の補正は、補正前の「濡れて」となる原因を、明細書【００３２】の表現を用いて「尿に触れて」と限定するものであり、かつ、補正前の請求項１０に記載された発明と補正後の請求項１に記載される発明の産業上の利用分野及び解決しようとする課題が同一であるので、本件補正は、平成１８年法律第５５号改正附則第３条第１項によりなお従前の例によるとされる同法による改正前の特許法第１７条の２第４項第２号の特許請求の範囲の減縮を目的とするものに該当する。
　
　一方、上記(a)の発明特定事項の材料の選択肢を追加する補正は、特許請求の範囲を拡張するものであるから、特許請求の範囲の減縮と認められるものではなく、さらに、請求項の削除、誤記の訂正、明瞭でない記載の釈明のいずれかを目的とするものとも認められない。
　なお、上記(a)の「便座シート廃材又は便座シート廃材等の動物用排泄物処理材の廃材」なる事項は、補正前のいずれの請求項にも記載されていないので、補正後の請求項１が、補正前のいずれの請求項を補正したもので有るとしても、このことが変わるものではない。
　また、上記(c)の補正も、特許請求の範囲の減縮といえるものでなく、さらに、請求項の削除、誤記の訂正、明瞭でない記載の釈明のいずれかを目的とするものとも認められない。
　なお、上記(c)の補正後の「被覆材料層に・・・濃縮液を含浸させ」なる記載は、補正前のいずれの請求項にも記載されていないので、補正後の請求項１が、補正前のいずれの請求項を補正したもので有るとしても、このことが変わるものではない。
　
　したがって、本件補正は、上記(a)(c)の点において、平成１８年法律第５５号改正附則第３条第１項によりなお従前の例によるとされる同法による改正前の特許法第１７条の２第４項の規定に違反するので、同法第１５９条第１項において読み替えて準用する同法第５３条第１項の規定により却下すべきものである。 
　
３．特許出願の際独立して特許を受けることができるものであるかに関して
　さらに、本件補正が、仮に平成１８年法律第５５号改正附則第３条第１項によりなお従前の例によるとされる同法による改正前の特許法第１７条の２第４項第２号の特許請求の範囲の減縮を目的とするものに該当するものであるとして、本件補正後の請求項２に記載された発明（以下「本願補正発明」という。）が、特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）についても、以下に検討する。
　
３−１．引用刊行物とその記載事項
（１）原査定の拒絶の理由に引用された、本願出願前に頒布された刊行物である特開平１０−６６４６６号公報（以下、「刊行物１」という。）には、動物の排泄物処理材及びその製造方法に関し、図面とともに、次の技術的事項が記載されている。（当審注：下線部は当審が付与した。）
　（ア）「【特許請求の範囲】
【請求項１】焙煎コーヒー豆のコーヒー抽出液抽出残渣、前記焙煎コーヒー豆のコーヒー抽出液抽出残渣より少ない量の配合物質及び着色物質を含有する１ミリメートル以上の粒径を有する造粒物と、前記造粒物の表面に付着している着色物質及び接着能を有する配合物質とを包含していることを特徴とする動物の排泄物処理材。
【請求項２】焙煎コーヒー豆のコーヒー抽出液抽出残渣、前記焙煎コーヒー豆のコーヒー抽出液抽出残渣より少ない量の配合物質及び着色物質を含有する１ミリメートル以上の粒径を有する造粒物と、前記造粒物の表面に付着している着色物質及び接着能を有する配合物質と、前記造粒物の表面に付着の着色物質及び接着能を有する配合物質の上に付着する着色物質及び配合物質とを包含していることを特徴とする動物の排泄物処理材。
【請求項３】配合物質が、紙粉、製紙用パルプ、活性炭入りパルプ廃物、茶殻、パルプスラッジ、製紙スラッジ、ポリビニルアルコール、小麦粉、おから、コーンスターチ、カルボキシメチルセルロース、ゼラチン、高吸水性樹脂、ビニルエステル、澱粉、カルボキシメチルセルロース、ベントナイト又はゼオライト或はこれら２種以上の混合物であることを特徴とする請求項１又は請求項２に記載の動物の排泄物処理材。
・・・
【請求項５】造粒物において、配合物質が、高吸水性樹脂であり、着色物質が紙粉であり、前記造粒物に付着する材料が、着色物質の紙粉及び接着能を有する配合物質のポリビニルアルコールであることを特徴とする請求項１に記載の動物の排泄物処理材。
【請求項６】造粒物において、配合物質が、高吸水性樹脂であり、着色物質が紙粉であり、前記乾燥造粒物に付着する材料が、着色物質の紙粉及び接着能を有する配合物質のポリビニルアルコールであり、前記造粒物の表面に付着している着色物質の紙粉及び接着能を有する配合物質のポリビニルアルコールの上に付着する材料が、着色物質の紙粉及び配合物質の高吸水性樹脂であることを特徴とする請求項２に記載の動物の排泄物処理材。
【請求項７】造粒物が、焙煎コーヒー豆のコーヒー抽出液抽出残渣を３０重量％以上の量で含有するものであることを特徴とする請求項１又は請求項２に記載の動物の排泄物処理材。
【請求項８】造粒物が、焙煎コーヒー豆のコーヒー抽出液抽出残渣に、該コーヒー抽出液抽出残渣より夫々少ない量の配合物質、殺菌作用を有する物質及び着色物質を配合し、造粒して形成されていることを特徴とする請求項１又は請求項２に記載の動物の排泄物処理材。」
　（イ）「【０００１】
【発明の属する技術分野】本発明は、動物、特に猫科及び犬科動物並びにその他愛玩動物等の動物の粒状の排泄物処理材及びその製造方法に関し、特に、焙煎コーヒー豆からコーヒー抽出液を抽出する際に生じる抽出残渣、所謂、コーヒー抽出粕（以下、コーヒー抽出液抽出残渣という）の有効利用を図る、動物、特に猫科及び犬科動物並びにその他愛玩動物等の動物の粒状の排泄物処理材及びその製造方法に関する。」
　（ウ）「【０００３】
【発明が解決しようとする課題】この種の愛玩動物の排泄物処理材は、例えば室内で使用されるところから、清潔で、衛生的であることが望まれ、使用後、清潔さ及び衛生上の点から、廃棄処理され易いのが望まれる。しかし、砂、ゼオライト、ベントナイトなどの無機物の場合は、使用時、砕けて埃となり易く、また、使用後放置する間に汚臭を発生しても、非可燃物であるため焼却処理を行うことができず、また下水等に流すこともできない。そこで、消臭効果が低く、価格が高いが、吸水能に優れ、可燃物であるところから、製紙用パルプ及び紙粉の小塊状成形物が使用されている。
【０００４】また、本発明者は、コーヒー抽出液抽出残渣が、大きい吸臭能を有する点に着目して、コーヒー抽出液抽出残渣を動物の排泄物処理材として有効利用することを提案した。・・・ところで、動物の排泄物処理材は、一般に、室内で使用されるために、衛生的な感じを与える色調であることが要求されている。本発明は、コーヒー抽出液抽出残渣のもつ褐色の色彩による動物排泄物処理材としての商品価値の低下に係る問題点を解決することを目的としている。」
　（エ）「【０００８】
【発明の実施の形態】・・・
【０００９】・・・本発明において、動物の排泄物処理材は、焙煎コーヒー豆のコーヒー抽出液抽出残渣を主として含有するので、造粒物の表面及び外観は、該コーヒー抽出液抽出残渣の本来有する褐色になっており、室内等において使用するのに、見た目が一見悪い。したがつて、本発明において、コーヒー抽出液抽出残渣は、このコーヒー抽出液抽出残渣の固有の色とは異なる色の着色物質により着色されるのが好ましい。例えば白色粉状の配合物質を、排泄物処理材の４０重量％以下の量、好ましくは、１０重量％以下の量で、造粒に先立って、該コーヒー抽出液抽出残渣に混合したり、該コーヒー抽出液抽出残渣の造粒物の表面にまぶしたりして、コーヒー抽出液抽出残渣の造粒物の色調を、コーヒー抽出液抽出残渣の色調と異なる色調に、例えば、略白色又は白色に近づかせるなどして、コーヒー抽出液抽出残渣の造粒物のコーヒー抽出液抽出残渣の色を緩和させることができる。」
　（オ）「【００１２】本発明において、コーヒー抽出液抽出残渣の着色乾燥造粒物に配合される配合物質としては、尿に触れて粉体粒子相互を接着させて、容易に塊を形成して、尿に触れた部分を容易に取り出し易くさせるように、接着機能を有する配合物質を配合するのが好ましい。このような配合物質には、水溶性又は水分散性の配合物質として、茶殻、おから、木屑、紙粉、シリカゲル、製紙用パルプ、製紙スラッジ、活性炭入りパルプ廃物、パルプスラッジ、ポリビニルアルコール（ＰＶＡ）（ポバール：商品名）、・・・などがあり、これらは、単独で使用されるか、又はこれら２種以上を混合して配合物質として使用される。・・・
【００１３】本発明の動物の排泄物処理材においては、その吸水能及び保水機能を高めるための配合物質とし、粉状の高吸水性樹脂を配合することができる。本発明において配合される高吸水性樹脂は、該樹脂に対する、重量で数十倍から二千倍程度の水を吸収しても、形を保持できる樹脂であり、例えば、ビニルエステルとエチレン系不飽和カルボン酸又はその誘導体との共重合体鹸化物、澱粉とアクリル酸のグラフト重合体、ポリアクリル酸の架橋物、ビニルアルコールとアクリル酸の共重合体、ポリアクリロニトリルの部分加水分解物、カルボキシメチルセルロースの架橋物、ポリエチレングリコールの架橋物、キトサンの塩又はプルランのゲルなどがある。これら高級水性樹脂は、造粒に先立って、コーヒー抽出液抽出残渣の粒子に、単独で又は２種以上の混合物の形で配合することができる。
【００１４】本発明において、コーヒー抽出液抽出残渣の粒子には、造粒に先立って、粉状の配合物質を４０重量％以下の量で、好ましくは１０重量％以下の量で混合することができる。この場合、配合物質の色調は、本発明の動物の排泄物処理材の色調に合わせた色調とするのが好ましい。コーヒー抽出液抽出残渣の粒子が、造粒に先立って予め着色される場合には、配合物質の色調は、着色粒子の色調と混合して、単一色又は混合色とすることができる。しかし、本発明において、コーヒー抽出液抽出残渣の着色粒子の色調と配合物の色調とを一致させると、斑模様を避けることができるので好ましい。本発明において、配合物質は、コーヒー抽出液抽出残渣の着色又は未着色の粒子と混合して加えてもよく、また別途に加えても良いが、造粒物中で、コーヒー抽出液抽出残渣粒子と合体させるようにするのが好ましい。」
　（カ）「【００１９】本発明の排泄物処理材においては、その吸水能を高めるために、焙煎コーヒー豆のコーヒー抽出液抽出残渣に高吸水性樹脂を配合することができる。・・
【００２０】・・着色造粒物には、造粒後、更に接着能を有する配合物質、高吸水性樹脂、殺菌作用を有する配合物質又はその他配合物質をまぶす・・・のが好ましい。・・・」
　（キ）「【００２２】本発明において、ポリビニルアルコール及び／又は小麦粉が混合されている場合には、動物の排泄物に付着して、排泄物を塊状に包み込むこととなり、後始末が簡単かつ容易である。また、動物の排泄処理材中に補助脱臭剤及び／又は高吸水性樹脂が混合されている場合には、排泄物処理材として更に優れた脱臭性並びに吸水性及び保水性を発揮する。本発明は、従来、廃物とされて、その処理が問題とされていたコーヒー抽出液抽出残渣、茶殻、活性炭入りパルプ廃物、紙粉等の可燃性の廃物を、動物の排泄物処理材として有効に利用するものであり、しかも、主たる量を可燃物で構成するので、焼却等廃棄処理が容易である。
【００２３】本発明は、動物の排泄物処理材は、脱臭性に優れるコーヒー抽出液抽出残渣を主として含有し、１ｍｍ以上、好ましくは３ｍｍ以上の粒径の造粒物に、吸水性及び／又は脱臭性の配合物質と共に成形されるので、動物の排泄した尿の吸収が良く、また保水性が良く、消臭性が顕著に良好である。・・・」
　（ク）「【００４７】例１３．
含水率５５％のコーヒー抽出液抽出残渣
及び水
着色物質として、オムツ及びナプキン廃材の紙粉
配合物質として、ハイモ株式会社製の高吸水性樹脂ハイモサブ５００（登録商標）１．５ｋｇ及び安息香酸２．５ｇを配合物質供給用原料タンク６に入れ、
白色に着色されたコーヒー抽出液抽出残渣配合物を製造し、
ミートチョッパーに送り、造粒し、小さい円柱状の白色造粒物が形成され
【００４８】
造粒されたコーヒー抽出液抽出残渣の着色造粒物は、
パウダーに近い粉末紙粉
ポリビニルアルコールの希釈溶液が噴霧され
熱風乾燥され、
直径６ｍｍ、長さ７ｍｍの猫のトイレ用の砂が、３０．５ｋｇ得られた
【００４９】室内において、この猫のトイレ用の砂５０ｇは、室温で疑似尿１３０ｇを吸収し、非常に吸水性及び脱臭性が良好であり、室内にアンモニア臭を感じなかった。この猫のトイレ用の砂は、全体が白色を呈して清潔的であり、猫のトイレに厚さ３ｃｍの厚さに敷いて使用されたが、猫は普段と同様にトイレとして使用しており、使用の上で何等支障がなかった。猫が排泄に使用後、この猫のトイレ用の砂は、猫が排泄した部分については、容易に取り出すことができた。しかも脱臭性に優れ、屋内に不快な臭い発生するのを避けることができた。」
　（ケ）「【００５９】例１７．含水率６０％のコーヒー抽出液抽出残渣１５ｋｇ及び水１．５ｋｇを、コーヒー抽出液抽出残渣供給用の原料タンク２に入れ、次いで着色物質として、紙粉６ｋｇを着色材供給用原料タンク４に入れ、これに次いで、配合物質として、ハイモ株式会社製の高吸水性樹脂ハイモサブ５００（登録商標）１ｋｇ、含水率８０％の茶殻５ｋｇ及び安息香酸１０ｇを配合物質供給用原料タンク６に入れ、以下、例７の場合と同様に、撹拌装置９に、含水させたコーヒー抽出液抽出残渣、着色物質の紙粉並びに配合物質の高吸水性樹脂ハイモサブ５００（登録商標）、茶殻及び安息香酸を入れて、白色と斑状に着色されたコーヒー抽出液抽出残渣配合物を製造し、これを口径６．０ｍｍのミートチョッパーに送り、造粒し、小さい円柱状の白色斑状の造粒物が形成された。
【００６０】造粒されたコーヒー抽出液抽出残渣の着色造粒物は、ネツトコンベヤ１８によつて、第１噴霧装置１９に送られ、第１噴霧ノズル２２から、粒径が０．５ｍｍ以下の紙粉が噴霧された。紙粉が噴霧された造粒物は、篩分け装置で余分の付着物が分離され、次いで、水が噴霧された。水が噴霧された造粒物は、続く第２噴霧装置（図示されていない）に送られ、第２噴霧ノズル（図示されていない）から、粒径が０．３ｍｍ以下の紙粉９０重量％及びハイモ株式会社製の高吸水性樹脂ハイモサブ５００（登録商標）１０重量％の混合物が噴霧された。２回目の紙粉が噴霧された造粒物は、篩分け装置で余分の付着物を分離され、次いで、水が噴霧された。２回目の水が噴霧された造粒物は、続く第３噴霧装置（図示されていない）に送られ、第３噴霧ノズル（図示されていない）から、粒径が０．１ｍｍ以下の紙粉８５重量％、ハイモ株式会社製の高吸水性樹脂ハイモサブ５００（登録商標）５重量％及びＣＭＣ１０重量％の混合物が噴霧された。３回目の紙粉が噴霧された造粒物は、篩分け装置で余分の付着物を分離され、次いで、プロピレングリコールの希釈溶液が噴霧され、続いて、熱風乾燥器に送られ、１００℃の温度で４０乃至５０分の間、熱風乾燥され、水分９％に乾燥された。乾燥されたコーヒー抽出液抽出残渣の着色乾燥造粒物は、１ｍｍ以上の粒径のものが分離されて、コンベヤ３６によつて取出され、主として、直径８ｍｍ、長さ１０ｍの猫のトイレ用の砂が得られた。
【００６１】室内において、この猫のトイレ用の砂３００ｇは、３５℃でアンモニア含有の食塩希釈溶液６００ｇを吸収し、非常に吸水性及び脱臭性が良好であり、室内にアンモニア臭を感じなかった。この猫のトイレ用の砂は、全体が白色を呈して清潔的であり、猫のトイレに厚さ３ｃｍの厚さに敷いて使用されたが、猫は普段と同様にトイレとして使用しており、使用の上で何等支障がなかった。猫が排泄に使用後、この猫のトイレ用の砂は、猫が排泄した部分については、表面が粘着しない割に、容易に均一な状態で固まり、ブロック化し、容易に取り出すことができた。しかも脱臭性に優れ、屋内に不快な臭い発生するのを避けることができた。しかも脱臭性に優れ、屋内に不快な臭い発生するのを避けることができた。」
　
　すると、刊行物１には、記載事項（ク）の例１３として示した猫のトイレ用の砂の製造方法に着目して、次の発明（以下「引用発明」という。）が開示されているものということができる。
「含水率５５％のコーヒー抽出液抽出残渣及び水、着色物質として、オムツ及びナプキン廃材の紙粉、配合物質として、ハイモ株式会社製の高吸水性樹脂ハイモサブ５００及び安息香酸を入れて、白色に着色されたコーヒー抽出液抽出残渣配合物を製造し、ミートチョッパーに送り、造粒し、小さい円柱状の白色造粒物が形成され、
　造粒されたコーヒー抽出液抽出残渣の着色造粒物は、パウダーに近い粉末紙粉、ポリビニルアルコールの希釈溶液が噴霧され、
　熱風乾燥された、
　直径６ｍｍ、長さ７ｍｍの猫のトイレ用の砂の製造方法。」
　
（２）原査定の拒絶の理由に引用された、本願出願前に頒布された刊行物である特開２０００−１９２３９６号公報（以下、「刊行物２」という。）には、衛生用紙及びそれを使用する衛生シーツ並びにそれらの製造方法に関し、図面とともに、次の技術的事項が記載されている。（当審注：下線部は当審が付与した。）
　（ア）「【特許請求の範囲】・・・
【請求項２】コーヒー液抽出残留廃液の乾燥物若しくはコーヒー液抽出残渣の浸出液の乾燥物又はこれら乾燥物の混合物と、お茶抽出残留廃液の乾燥物若しくは茶殻の浸出液の乾燥物又はこれら乾燥物の混合物とを含む混合物を含有する薄葉紙で形成されていることを特徴とする衛生用紙。」　
　（イ）「【０００１】
【発明の属する技術分野】本発明は、コーヒー液抽出残留廃液の乾燥物又はコーヒー液抽出残渣の浸出液の乾燥物を含有する衛生用紙及びその製造方法に関し、特に、本発明は、有機物廃材を利用した、特に、トイレットペーパ、ティッシュペーパー、紙タオル用紙、テーブルナプキン、紙おむつ、生理用紙、化粧用紙等の衛生用紙及び該衛生用紙並びにその製造方法に関する。本発明は、コーヒー液抽出残留廃液又はコーヒー液抽出残渣の浸出液を含有する衛生用紙を使用する衛生シーツ、特に、、紙おむつ、生理用紙、化粧用紙等の衛生用紙及び該衛生用紙を使用する紙おむつ、寝具用補助シーツ、紙おむつ、動物用紙おむつ、生理用ナプキン、動物用生理用ナプキン、乳パッド、汗パッド、失禁パツド及び動物用シーツなどの衛生用品に使用できる衛生シーツ並びにその製造方法に関する。また、本発明は、長時間使用して衛生状態を保持することができる使い捨ての衛生用品に関し、特に、寝具用補助シーツ、紙おむつ、動物用紙おむつ、生理用ナプキン、動物用生理用ナプキン、乳パッド、汗パッド、失禁パツド及び動物用シーツに使用できる使い捨ての衛生用品及びその製造方法に関する。
【０００２】さらに、本発明は、人又は動物用の衛生用品に使用される衛生シーツに関し、特に、プラスチック廃材、紙廃材、例えば紙おむつ廃材、尿パッド廃材、生理用ナプキン廃材、動物用紙おむつ廃材又は動物用シーツ廃材或いはそれら廃材の粉砕物を利用した衛生用品、即ち寝具用補助シーツ、紙おむつ、動物用紙おむつ、生理用ナプキン、動物用生理用ナプキン、乳パッド、汗パッド、失禁パツド及び動物用シーツに使用できる衛生シーツに関する。さらにまた、本発明は、特に、就寝時、休養時及び排泄時に使用する使い捨て用の衛生用品に関する。」
　（ウ）「【０００６】
【課題を解決するための手段】本発明者は、
缶コーヒーやインスタントコーヒーの製造時に大量に排出される、コーヒー液抽出残渣からの浸出液
コーヒー液抽出残渣からの浸出液、
を含浸後乾燥させたシーツが、何れも緑膿菌、黄色ブドウ球菌、レジオネラ菌及び連鎖球菌の増殖を７２時間以上に亙って阻害する
コーヒー液抽出残渣及び／又は茶殻から抽出した再抽出のコーヒー液
吸水性の紙層部及び／又は吸水性樹脂及び吸水性材料粉の混合層に含浸させて乾燥して得られる衛生的に優れた衛生シーツ
　（エ）「【０００９】
【発明の実施の形態】本発明において、衛生用紙は、トイレットペーパー、紙タオル、ナプキン紙、化粧紙、ちり紙、ワッデイング（紙綿）、薄葉紙−等を意味し、木材パルプを原料とし、坪量２５ｇ以下で、例えば１４ｇ程度でドライクレープ加工された、柔軟で湿紙強さを有する薄葉紙を原料とする。また、本発明において、衛生用紙の使用時において、緑濃菌、連鎖球菌、黄色ブドウ球菌、レジオネラ菌、ポツリヌス菌等の細菌の増殖を避けるために、衛生用紙を構成する少なくとも一枚の薄葉紙に、コーヒー液抽出残留廃液の乾燥物若しくはコーヒー液抽出残渣の浸出液の乾燥物又はこれら乾燥物の混合物、或いはコーヒー液抽出残留廃液の乾燥物若しくはコーヒー液抽出残渣の浸出液の乾燥物又はこれら乾燥物の混合物並びにお茶抽出残留廃液の乾燥物若しくは茶殻の浸出液の乾燥物又はこれら乾燥物の混合物からなる混合物を含ませて製造される。・・・」
　（オ）「【００１１】・・・本発明の衛生シーツは、・・・動物用シーツとすることができる。本発明において、
動物用シーツは、従来の動物用シーツと同様に、排泄用として使用される
　（カ）「【００１４】・・・紙おむつ廃材を、例えば１００ｍｍ以下の粒度の紙おむつ粉砕物又は該紙おむつ粉砕物となるように粉砕し、これらの粉砕物を分級して、その構成成分である紙粉及び高吸水性樹脂を・・・原料として使用することができる。紙おむつ廃材粉砕物には、ポリエチレン、ポリプロピレン、レーヨン及び合成ゴム材等が含有されるが、これらの材料は、５ｍｍ以下、好ましくは３ｍｍ以下の粉砕物とすることにより保水性を発揮することが分かった。・・・
【００１９】本発明において、吸水性材料粉の原料となる紙粉は、粉状の紙又は吸水性樹脂を含む粉状の紙を意味し、例えば、製本時に発生する紙粉、紙製の不織布製造時に発生する紙粉、製紙工程において発生する紙粉、及び紙おむつ工場等の集塵ロスの紙粉などがあり、また吸水性材料粉の衛生材料粉砕物としては、紙おむつ粉砕物、紙おむつ廃材粉砕物、生理用ナプキン粉砕物、生理用ナプキン廃材粉砕物、乳パッド粉砕物、乳パッド廃材粉砕物、尿パッド粉砕物、尿パッド廃材粉砕物、汗パッド粉砕物又は汗パッド廃材粉砕物などがあり、さらに、紙おむつやパッド類等の衛生材料製造時に飛散する高吸水性樹脂を含む紙粉などがある。」
　（キ）「【００２７】本発明において、薄葉紙又は吸水性の第一紙層部への・・コーヒー液抽出残渣の浸出液・・の付着は、・・前記薄葉紙又は吸水性の第一紙層部に、噴霧、浸漬、ローラ塗布又は印刷等の塗布法により塗布することにより行われる。この場合、吸水性層部と一体化していない、吸水性の第一紙層部を構成する一以上の薄葉紙に、・・・付着させることができる。しかし、・・・
吸水性層部と一体化している一以上の薄葉紙から構成される第一紙層部に、前記抽出残留廃液及び／又は浸出液・・を、噴霧、ローラ塗布、浸漬又は印刷等の塗布法により付着させる
【００２９】本発明において、例えば、焙煎コーヒー豆のコーヒー液残留廃液を含む焙煎
コーヒー豆のコーヒー液抽出残渣からの浸出液は、
常温水又は常温を越える温度の加熱水で浸出して製造する。
　（ク）「【００３２】薄葉紙又は第一紙層部に含浸させる、該抽出残留廃液又はコーヒー液抽出残渣からの浸出液或いはこれらの混合液の濃度、またこれらに配合されるお茶の抽出残留廃液、茶殻についての浸出液の濃度は、浸出時の抽出残渣又は茶殻の単位重量に対して使用する浸出液としての水又は加熱水の容量を変えて調整することができる。浸出時間は、２時間以内、特に１時間以内とすると、抽出時間を少なくできるので好ましい。コーヒー液抽出残渣及び茶殻は、浸出され易いので、比較的短時間で浸出することができる。」
　（ケ）「【００３４】
【作用】本発明において、衛生用紙は、コーヒー液抽出残留廃液の乾燥物又はコーヒー液抽出残渣の浸出液の乾燥物或いはこれらの乾燥物の混合物を含有する薄葉紙で形成されているので、焙煎コーヒー豆のコーヒー液抽出残留廃液の乾燥物、該コーヒー液抽出残渣からの浸出液の乾燥物の作用により、衛生用紙の細菌の増殖を抑えることができ、また衛生用紙を使用する箇所の細菌の増殖を抑えることができ、安価なコーヒー抽出残渣及び茶殻や衛生用品等の廃物を活用して、長時間に亙って、衛生的な状態を保つことができる。
・・・
【００３６】また、・・・前記第一紙層部に、・・コーヒー液抽出残留廃液を含有するコーヒー液抽出残渣からの浸出液の乾燥物・・が含まれているので、・・尿の吸収が良く、また・・高い脱臭機能を有する。」
　（コ）「【００３８】例１
　焙煎コーヒー豆４０ｇを４００ｍｌの沸騰水に１分間浸漬して、コーヒー液を抽出し、その全量を濾過した。３０秒を経過し、滴下量が少なくなったところでコーヒー液抽出残留廃液の採取を開始した。コーヒー液抽出残留廃液の量は約１５ｍｌであった。コーヒー液抽出残留廃液の滴下が停止したところで、濾紙上のコーヒー液抽出残渣は１０２ｇ（含水率７２％）であった。このように調製されたコーヒー液抽出残留廃液は、タンニンの含有量が、０．０７ｇ／１００ｇであり、亜鉛の含有量は３２μｇ／１００ｇであった。このコーヒー液抽出残留廃液は、１ｍ２当たり２０ｇのセルローズ繊維製の薄葉紙の４０ｃｍ×７５ｃｍを浸漬して、コーヒー液抽出残留廃液を含浸した薄葉紙を作製するのに使用された。
【００３９】例２
　焙煎コーヒー豆４０ｇを４００ｍｌの沸騰水に１分間浸漬して、コーヒー液の全量を濾過した。濾紙上のコーヒー液抽出残留廃液を含有するコーヒー液抽出残渣は１０２ｇ（含水率７２％）であった。該コーヒー液抽出残渣１０６ｇに７０℃の温度の水２００ｍｌを加えて、１分間放置して、浸出液の全量を濾過した。コーヒー液の抽出残渣の浸出液は２００ｍｌであった。このように調製されたコーヒー液抽出残渣の浸出液は、タンニンの含有量が、０．０６ｇ／１００ｇであり、亜鉛の含有量は７μｇ／１００ｇであった。このコーヒー液抽出残渣の浸出液は、１ｍ２当たり２０ｇのパルプ繊維製の薄葉紙の８０ｃｍ×１５０ｃｍを浸漬して、コーヒー液抽出残渣の浸出液を含浸した薄葉紙を作製するのに使用された。
・・・
【００４２】例５
　前記例１で調製されたコーヒー液抽出残留廃液と前記例３で調製されたウーロン茶の抽出残留廃液とを、等量宛混合して、コーヒー液抽出残留廃液とウーロン茶の抽出残留廃液との混合抽出残留廃液を調製した。このように調製された混合抽出残留廃液は、１ｍ２当たり２０ｇのパルプ繊維製の薄葉紙の４０ｃｍ×７５ｃｍを浸漬して、コーヒー液及びウーロン茶の抽出残留廃液を含浸した薄葉紙を作製するのに使用された。
【００４３】例６
　前記例２で調製されたコーヒー液抽出残渣の浸出液と前記例４で調製されたウーロン茶の茶殻の浸出液とを、等量宛混合して、コーヒー液抽出残渣の浸出液と紅茶の茶殻の浸出液を混合した混合浸出液を調製した。このように調製された混合浸出液は、１ｍ２当たり２０ｇのパルプ繊維製の薄葉紙の８０ｃｍ×１５０ｃｍを浸漬して、コーヒー液抽出残渣の浸出液とウーロン茶の茶殻浸出液の等量混合とを含浸した薄葉紙を作製するのに使用された。」
　（サ）「【００４９】例１１
本実施例は、
図１に示す衛生シーツ１の構成を、動物用シーツに適用した事例である。図１において、３重量部のポリエチレンフィルムで不透水性膜層部２が設けられ、該不透水性膜層部２の上に、２．１重量部の吸水紙で吸水性の第二紙層部３が設けられ、該吸水性の第二紙層部３の上に、１７．６重量部の粒度３ｍｍ以下の紙おむつ粉砕粉で吸水性層部４が形成され、その上に、前記例２で調製されたコーヒー液抽出残渣の浸出液が含浸されている薄葉紙により作られている吸水紙で４．３重量部の吸水紙で吸水性の第一紙層部５が形成され、その上を、２．２重量部のポリプロピレン樹脂繊維製の不織布で覆って、透水性の不織布層部６が形成され、該透水性の不織布層部６の端部３６は、最下層の前記ポリエチレンフィルム２の端部とホットメルト接着剤を介してホットメルト接着されて、動物用シーツが形成される
【００５０】・・・本例の衛生シーツ１は、不織布１００ｇあたり含有されているコーヒー液抽出残留廃液及びコーヒー液抽出残渣の浸出液の混合固形分が２．５ｇであり、７２時間後において、黄色ブドウ球菌、連鎖球菌及びレジオネラ菌の増殖を抑止した。」
　
　すると、刊行物２には、記載事項（サ）記載の例１１の動物用シーツに着目して、次の発明（以下「刊行物２記載の発明」という。）が開示されているものということができる。
「不透水性膜層部２の上に吸水性の第二紙層部３が設けられ、該吸水性の第二紙層部３の上に紙おむつ粉砕粉で吸水性層部４が形成され、その上にコーヒー液抽出残渣の浸出液が含浸されている薄葉紙により作られている吸水紙で第一紙層部５が形成され、その上をポリプロピレン樹脂繊維製の不織布で覆って透水性の不織布層部６が形成され、該透水性の不織布層部６の端部３６は、最下層の前記ポリエチレンフィルム２の端部とホットメルト接着剤を介してホットメルト接着されて形成される、排泄用として使用される動物用シーツの製造方法であって、
　吸水性層部４と一体化している一以上の薄葉紙から構成される第一紙層部５に、缶コーヒーやインスタントコーヒーの製造時に大量に排出されるコーヒー液抽出残渣から常温水又は常温を越える温度の加熱水で浸出し抽出した再抽出のコーヒー液を、噴霧等の塗布法により付着、含浸させて乾燥して得られる、緑膿菌、黄色ブドウ球菌、レジオネラ菌及び連鎖球菌の増殖を７２時間以上に亙って阻害する、衛生的に優れた動物用シーツの製造方法。」
　
３−２．本願補正発明と引用発明との対比
（１）両発明の対応関係
(a)引用発明の「コーヒー抽出液抽出残渣」は、本願補正発明の「焙煎コーヒー豆の抽出残渣」に相当し、以下同様に、
「猫のトイレ用の砂」は、「直径６ｍｍ、長さ７ｍｍ」のものであって、粒状のものといえるので、「粒状の動物用排泄物処理材」に相当する。
(b)本願補正発明の「トイレットペーパー廃材、ティッシュペーパー廃材、化粧紙廃材、紙ナプキン廃材、ちり紙廃材、紙綿廃材、紙タオル廃材、便座シート廃材又は便座シート廃材等の動物用排泄物処理材の廃材、寝具用シーツ廃材、マスク廃材、アイマスク廃材、座席用ヘッドカバー廃材、枕カバー廃材、バフ粉、ダンボール屑、新聞屑、雑誌屑、木材屑、鉋屑若しくは不織布屑又はこれらの中の二以上を５ｍｍ以下の粒度に粉砕」したものは、材料の選択肢として、「紙ナプキン廃材」を包含するものであるので、引用発明の「オムツ及びナプキン廃材」は、本願補正発明の「トイレットペーパー廃材、ティッシュペーパー廃材、化粧紙廃材、紙ナプキン廃材、ちり紙廃材、紙綿廃材、紙タオル廃材、便座シート廃材又は便座シート廃材等の動物用排泄物処理材の廃材、寝具用シーツ廃材、マスク廃材、アイマスク廃材、座席用ヘッドカバー廃材、枕カバー廃材、バフ粉、ダンボール屑、新聞屑、雑誌屑、木材屑、鉋屑若しくは不織布屑又はこれらの中の二以上」のもの（以下、「ナプキン廃材等」と略記する。）に相当する。
　また、引用発明の「配合物を製造し、ミートチョッパーに送り、造粒し、小さい円柱状の白色造粒物が形成され」ることは、配合物が「水」も配合されたものであるので、本願補正発明の「水の存在下に粒状に成形」することに相当する。
　そして、引用発明の「含水率５５％のコーヒー抽出液抽出残渣及び水、着色物質として、オムツ及びナプキン廃材の紙粉、配合物質として、ハイモ株式会社製の高吸水性樹脂ハイモサブ５００及び安息香酸を入れて、白色に着色されたコーヒー抽出液抽出残渣配合物を製造し、ミートチョッパーに送り、造粒し、小さい円柱状の白色造粒物が形成され」ることと、本願補正発明の「トイレットペーパー廃材、ティッシュペーパー廃材、化粧紙廃材、紙ナプキン廃材、ちり紙廃材、紙綿廃材、紙タオル廃材、便座シート廃材又は便座シート廃材等の動物用排泄物処理材の廃材、寝具用シーツ廃材、マスク廃材、アイマスク廃材、座席用ヘッドカバー廃材、枕カバー廃材、バフ粉、ダンボール屑、新聞屑、雑誌屑、木材屑、鉋屑若しくは不織布屑又はこれらの中の二以上を５ｍｍ以下の粒度に粉砕し、この粉砕物と、焙煎コーヒー豆の抽出残渣の粉砕物若しくは茶殻の粉砕物又は焙煎コーヒー豆の抽出残渣の粉砕物及び茶殻の粉砕物とを混合し、この混合物を水の存在下に粒状に成形」することとは、「ナプキン廃材等の細粒と、焙煎コーヒー豆の抽出残渣とを混合し、この混合物を水の存在下に粒状に成形」する点で共通する。
(c)引用発明の「小さい円柱状の白色造粒物」は、「ミートチョッパーに送り、造粒し、・・・形成され」たものであるので、本願補正発明の「成形された粒状物」に相当し、以下同様に、
「パウダーに近い粉末紙粉、ポリビニルアルコールの希釈溶液が噴霧され」た部分の性質は、「ポリビニルアルコール」が、刊行物１記載事項（オ）の「尿に触れて粉体粒子相互を接着させて、容易に塊を形成して、尿に触れた部分を容易に取り出し易くさせるように、接着機能を有する」ものであるので、「尿に触れて相互に接着する性質」に相当する。
　また、引用発明の「粉末紙粉」と、本願補正発明の「繊維質の廃棄物」とは、前者が繊維質を含んでいることが明らかなので、「繊維質の物」で共通する。
　そして、引用発明の「パウダーに近い粉末紙粉、ポリビニルアルコールの希釈溶液が噴霧され」ることで、「着色造粒物」に対して粉末紙粉やポリビニルアルコールを付加すること（以下、「粉末紙粉等の部分」を「付加すること」と略記する。）と、本願補正発明の「成形された粒状物の面上に、繊維質の廃棄物及び吸水性樹脂を含む被覆材料を付着させて尿に触れて相互に接着する性質を有する被覆材料層を形成」することとは、前者が、「着色造粒物」に対して「噴霧され」ることで粉末紙粉等の部分を付加するものであって、粒状物の面上に「被覆材料層を」「付着」及び「形成」するといえるものであるので、両者は「成形された粒状物の面上に、繊維質の物を含む被覆材料を付着させて尿に触れて相互に接着する性質を有する被覆材料層を形成」することで共通する。
　
(d)引用発明の着色造粒物に、粉末紙粉等が噴霧されたものが「熱風乾燥された」ことと、本願補正発明の「前記被覆材料層に、コーヒー飲料産業から排出されるコーヒー液抽出残渣を温水又は熱水で抽出し、この抽出液の液量を４／５以下の量に濃縮して得た濃縮液を含浸させ、これを乾燥することにより、０．３重量％以上のコーヒー抽出液の乾燥物を含有して、尿に触れて相互に接着する性質を有する被覆材料層とする」することとは、「被覆材料層を乾燥することにより、尿に触れて相互に接着する性質を有する被覆材料層とする」ことで共通する。
　
（２）両発明の一致点
「ナプキン廃材等の細粒と、焙煎コーヒー豆の抽出残渣とを混合し、この混合物を水の存在下に粒状に成形し、成形された粒状物の面上に、繊維質の物を含む被覆材料を付着させて尿に触れて相互に接着する性質を有する被覆材料層を形成し、前記被覆材料層を乾燥することにより、尿に触れて相互に接着する性質を有する被覆材料層とする粒状の動物用排泄物処理材の製造方法。」
　
（３）両発明の相違点
　ア．ナプキン廃材等の細粒が、本願補正発明はナプキン廃材等を「５ｍｍ以下の粒度に粉砕し」たものであるのに対して、引用発明は、オムツ及びナプキン廃材の「紙粉」であるが、粒度及び粉砕したものかどうかは不明な点。
　イ．混合される焙煎コーヒー豆の抽出残渣が、本願補正発明は粉砕物であるのに対して、引用発明は、粉砕物かどうか不明な点。
　ウ．被覆材料の繊維質の物が、本願補正発明は「繊維質の廃棄物」なのに対して、引用発明は、「粉末紙粉」であって、廃棄物かどうか不明な点。
　エ．付着させる被覆材料が、本願補正発明は「吸水性樹脂」を含むのに対して、引用発明は、そうでない点。
　オ．被覆材料層が、本願補正発明は「コーヒー飲料産業から排出されるコーヒー液抽出残渣を温水又は熱水で抽出し、この抽出液の液量を４／５以下の量に濃縮して得た濃縮液を含浸させ、これを乾燥することにより、０．３重量％以上のコーヒー抽出液の乾燥物を含有」したものなのに対して、引用発明はそうでない点。
　
３−３．本願補正発明の容易推考性の検討
（１）相違点ア．について、
　刊行物２の記載事項（カ）には、「紙おむつ廃材を、例えば１００ｍｍ以下の粒度の紙おむつ粉砕物又は該紙おむつ粉砕物となるように粉砕し、これらの粉砕物を分級して、その構成成分である紙粉及び高吸水性樹脂を・・・原料として使用することができる。紙おむつ廃材粉砕物には、ポリエチレン、ポリプロピレン、レーヨン及び合成ゴム材等が含有されるが、これらの材料は、５ｍｍ以下、好ましくは３ｍｍ以下の粉砕物とすることにより保水性を発揮することが分かった」と記載されている。
　そして、引用発明のオムツ及びナプキン廃材の「紙粉」として、刊行物２記載の発明の廃材を粉砕したものを用いることは、両者とも廃材を使用するものであることから、当業者が容易になし得ることである。
　さらに、(a)「粉」が、一般的に小径のものを表す言葉であること、(b)引用発明の猫のトイレ用の砂が、「直径６ｍｍ、長さ７ｍｍ」であることから、配合前の原料の紙粉は、それより相当小さなものと認識されること、(c)刊行物２に粉砕物寸法として「５ｍｍ以下」「３ｍｍ以下」のものも例示されていることを考慮すると、上記粉砕したものを用いるにあたり、５ｍｍ以下の粒度を採用することも当業者が適宜選択し得ることである。
　そうすると、引用発明のオムツ及びナプキン廃材の「紙粉」を、刊行物２記載の廃材を粉砕したものとして、本願補正発明の相違点ア．に係る構成とすることは、当業者が容易に想到し得たことである。
　
（２）相違点イ．について、
　引用発明のコーヒー抽出液抽出残渣は、オムツ及びナプキン廃材の紙粉、高吸水性樹脂ハイモサブ５００等と混合されたのち、ミートチョッパーで造粒されるものであり、(a)刊行物１の記載事項（ア）に「１ミリメートル以上の粒径を有する造粒物」と、同記載事項（キ）に「１ｍｍ以上、好ましくは３ｍｍ以上の粒径の造粒物」と記載されている様に１ｍｍ程度の小径の造粒物とするものを含み、(b)紙粉等の他の混合物と混合して造粒するものであるから、混合物が均一に混合されるようになすために、コーヒー抽出液抽出残渣も可及的に小さいものとすることが望ましいと想定され、そのために前記（１）の廃材と同様に粉砕したものとして、本願補正発明の相違点イ．に係る構成とすることは、当業者が容易に想到し得たことである。
　
（３）相違点ウ．について、
　刊行物１の記載事項（キ）には、「本発明は、従来、廃物とされて、その処理が問題とされていたコーヒー抽出液抽出残渣、茶殻、活性炭入りパルプ廃物、紙粉等の可燃性の廃物を、動物の排泄物処理材として有効に利用するものであり・・」と、紙粉等の廃物を有効に利用することが示唆されており、同記載事項（ク）に「オムツ及びナプキン廃材の紙粉」と、具体的に紙粉として廃棄物を使用することが記載されている。
　そうすると、引用発明の着色造粒物に噴霧する「粉末紙粉」としても、上記のように廃棄物の紙粉を採用して、本願補正発明の相違点ウ．に係る構成とすることは、当業者が容易に想到し得たことである。
　
（４）相違点エ．について、
　刊行物１の記載事項（ア）には、【請求項１】等の「造粒物の表面に付着している着色物質及び接着能を有する配合物質」について【請求項３】に「配合物質が、紙粉、・・高吸水性樹脂、・・或はこれら２種以上の混合物」とすることが、同記載事項（ケ）に、高吸水性樹脂である「ハイモ株式会社製の高吸水性樹脂ハイモサブ５００」を噴霧することが記載されており、これらの示唆に基いて、引用発明の着色造粒物に噴霧する「粉末紙粉」や「ポリビニルアルコールの希釈溶液」に加えて、高吸水性樹脂も造粒物の表面に付着するものとして、本願補正発明の相違点エ．に係る構成とすることは、当業者が容易に想到し得たことである。
　
（５）相違点オ．について、
　ア．本願補正発明と刊行物２記載の構成との対応関係
(a)刊行物２記載の発明の「缶コーヒーやインスタントコーヒーの製造時に大量に排出されるコーヒー液抽出残渣」は、本願補正発明の「焙煎コーヒー豆の抽出残渣」及び「コーヒー飲料産業から排出されるコーヒー液抽出残渣」に相当する。
(b)刊行物２記載の発明の「第一紙層部５」と、本願補正発明の「被覆材料層」とは、前者が、「排泄用として使用される動物用シーツ」の一構成部分をなすものであるので、「動物用排泄物処理材の構成部分」で共通する。
　そして、刊行物２記載の発明の「第一紙層部５に、缶コーヒーやインスタントコーヒーの製造時に大量に排出されるコーヒー液抽出残渣から・・・常温を越える温度の加熱水で浸出し抽出した再抽出のコーヒー液を、噴霧等の塗布法により付着、含浸させて乾燥して得られる」ものと、本願補正発明の「コーヒー飲料産業から排出されるコーヒー液抽出残渣を温水又は熱水で抽出し、この抽出液の液量を４／５以下の量に濃縮して得た濃縮液を含浸させ、これを乾燥することにより、０．３重量％以上のコーヒー抽出液の乾燥物を含有して、尿に触れて相互に接着する性質を有する被覆材料層」とは、「コーヒー飲料産業から排出されるコーヒー液抽出残渣を温水又は熱水で抽出し、この抽出液を含浸させ、これを乾燥することにより、コーヒー抽出液の乾燥物を含有したコーヒー液抽出残渣を使用した動物用排泄物処理材の構成部分」である点で共通する。
　
　そうすると、刊行物２記載の発明は、本願補正発明の表現に倣えば
「コーヒー飲料産業から排出されるコーヒー液抽出残渣を温水又は熱水で抽出し、この抽出液を含浸させ、これを乾燥することにより、コーヒー抽出液の乾燥物を含有したコーヒー液抽出残渣を使用した動物用排泄物処理材の構成部分とする方法」
と言い換えることができる。
　
　イ．引用発明の粉末紙粉等の部分（本願補正発明の「被覆材料層」に相当するもの）に刊行物２記載の発明を適用することに関して
　(a)引用発明は、刊行物１記載事項（ウ）に「本発明者は、コーヒー抽出液抽出残渣が、大きい吸臭能を有する点に着目して、コーヒー抽出液抽出残渣を動物の排泄物処理材として有効利用することを提案した。」と記載されている様に、コーヒーの吸臭能を前提とし、粒状物の部分に、吸臭能を有するコーヒーの成分を有するコーヒー抽出液抽出残渣を含有したものであるものの、粉末紙粉等の部分（本願補正発明の「被覆材料層」に相当するもの）にそのような物質を含有したものではない。
　(b)しかし、刊行物１記載事項（オ）に「着色乾燥造粒物に・・・接着機能を有する配合物質を配合するのが好ましい。」と、同記載事項（カ）に「焙煎コーヒー豆のコーヒー抽出液抽出残渣に高吸水性樹脂を配合する」と記載されているのに対して、刊行物１記載事項（カ）に「着色造粒物には、造粒後、更に接着能を有する配合物質、高吸水性樹脂、殺菌作用を有する配合物質又はその他配合物質をまぶす・・・のが好ましい。」と記載されているように、他にも、国際公開ＷＯ９７／０２７３８号の第１４頁第２０〜２１行に「殺菌作用を有する物質を・・粒状芯部及び被覆層部に添加することが出来る」と記載されている様に、動物用排泄物処理材において、所望の機能を発揮する物質を、被覆層部にも含有させることは、普通に行われていることである。
　(c)また、刊行物２記載事項（ウ）に、「コーヒー液抽出残渣からの浸出液・・が、・・菌の増殖を・・阻害する」と、同記載事項（ケ）に、「コーヒー液抽出残留廃液を含有するコーヒー液抽出残渣からの浸出液の乾燥物・・が含まれているので、・・・高い脱臭機能を有する。」と記載されている様に、コーヒー液抽出残渣からの浸出液は、菌の増殖を阻害し、脱臭機能を有する性質を持つものと認識されているものである。
　(d)そうすると、引用発明の粉末紙粉等の部分（本願補正発明の「被覆層部」に相当するもの）にも、粒状物の部分のコーヒー抽出液抽出残渣と同様の、菌の増殖阻害機能や吸臭能を有するコーヒーの成分を含有させることは、当業者が容易になし得ることであり、それを具現化する為に、引用発明の「パウダーに近い粉末紙粉、ポリビニルアルコールの希釈溶液が噴霧され」た後の粉末紙粉等の部分に、引用発明とコーヒー抽出液抽出残渣を用いた動物用排泄物処理材という技術分野において共通する刊行物２記載の発明の「缶コーヒーやインスタントコーヒーの製造時に大量に排出されるコーヒー液抽出残渣から常温水又は常温を越える温度の加熱水で浸出し抽出した再抽出のコーヒー液」を、「付着、含浸させて乾燥」することは当業者が容易になし得ることである。
　(e)なお、引用発明は、刊行物１記載事項（ク）に記載されている様に、工程後半でポリビニルアルコールが噴霧され、最終的に接着能を有するものであるが、本願発明も「尿に触れて相互に接着する性質を有する被覆材料層を形成し、前記被覆材料層に、・・・濃縮液を含浸させ」るものであって、本願発明の実施例記載の「コーヒー抽出液の濃縮液が噴霧され」ることで発明が実施できるものである様に、引用発明の猫のトイレ用の砂が接着能を有するものであるとしても、上記(d)の引用発明の「パウダーに近い粉末紙粉、ポリビニルアルコールの希釈溶液が噴霧され」た後の噴霧された紙粉等の部分に、刊行物２記載の発明の「再抽出のコーヒー液」を、「噴霧・・により付着、含浸させて乾燥」する手法を適用することが特段困難となるようなものとはいえない。
　
　ウ．コーヒー液の乾燥物の割合、及び濃縮液とすることに関して、
　(a)まず、刊行物２記載の発明の動物用シーツは、刊行物２記載事項（キ）に、「コーヒー豆のコーヒー液抽出残渣からの浸出液・・１００グラム中に含まれ、コーヒー液成分の一である・・殺菌作用を有するタンニンの量は０．０４ｇ／１００ｇ以上、好ましくは、０．１ｇ以上であるのが好ましい」と記載されている様に、十分な量のコーヒー液成分を含有することが必要なものであるので、刊行物２記載の発明のコーヒー液抽出残渣から抽出されたコーヒー液を含浸させ乾燥する手法を用いるにあたり、十分な量のコーヒー液成分を含有するものとすることは、当業者が通常なし得ることである。
　(b)そして、刊行物２記載事項（ク）に、「含浸させる・・コーヒー液抽出残渣からの浸出液・・の濃度は、浸出時の抽出残渣・・の単位重量に対して使用する浸出液としての水又は加熱水の容量を変えて調整することができる。」と記載されている様に、刊行物２記載の発明において、浸出液の濃度を調整することが示唆されており、さらに、濃縮が、濃度調整手段として周知慣用のものであることを考慮すると、刊行物２記載の発明のコーヒー液抽出残渣から抽出されたコーヒー液を、該周知慣用の濃度調整手段で所望の濃度となるように調整することは、上記十分な量のコーヒー液成分を含有するものとするために、当業者が適宜採用し得たことと認められる。
　一方、本願補正発明において、「液量を４／５以下の量に濃縮」する点について、本願明細書の記載を参照すると、段落【００１５】に「コーヒー抽出液中の可溶固形成分濃度が低いと、動物用排泄物処理材に目的のコーヒー抽出液の乾燥物量を含有させることができないこととなるために、本発明においては、可溶固形成分濃度が高められたコーヒー抽出液の濃縮液が、有機質の廃棄物を含む被覆材料に混合される。本発明においては、被覆時に使用されるコーヒー抽出液の濃縮液は、焙煎コーヒー豆から抽出されたコーヒー抽出液について、該コーヒー抽出液の液量を、少なくとも５／６以下、
好ましくは４／５以下、さらに好ましくは、３／４以下に蒸発濃縮することにより調製される
　そうすると、本願補正発明のように「液量を４／５以下の量に濃縮」することは、十分な量のコーヒー液成分を含有するものとするために必要な数値範囲を規定していることに他ならず、そのような必要な数値範囲を設定することは、当業者が普通に発揮することができる能力の範囲内の事項であることから、上記(a)の十分な量のコーヒー液成分を含有するものとするために、用いるコーヒー抽出液に含まれるコーヒー抽出成分の濃度などに応じて、当業者が適宜設定することができる事項ということができる。
　(c)また、本願補正発明において、「０．３重量％以上のコーヒー抽出液の乾燥固形物」を用いる点について、本願明細書の記載を参照すると、段落【００１７】に「コーヒー抽出液の乾燥物は、コーヒー抽出液の濃縮液の乾燥物をも包含するものであり、動物用排泄物処理材１００グラムあたりのコーヒー抽出液の乾燥物の量は、０．１グラム以上、特に、０．１乃至１０グラム含有されるのが好ましいが、
さらに好ましくは０．３グラム以上、特に、０．３乃至３グラム含有されるのが好ましい
　そうすると、本願補正発明のように「０．３重量％以上のコーヒー抽出液の乾燥物」を用いることも、コーヒー抽出液の乾燥物が有する細菌などの繁殖を抑制するといった効果を発揮するために必要な数値範囲を規定していることに他ならず、そのような必要な数値範囲を設定することは、当業者が普通に発揮することができる能力の範囲内の事項であることから、上記(a)の十分な量のコーヒー液成分を含有するものとするために、用いるコーヒー抽出液に含まれるコーヒー抽出成分の濃度などに応じて、当業者が適宜設定することができる事項ということができる。
　(d)そうすると、上記イ．に記載した、引用発明の「パウダーに近い粉末紙粉、ポリビニルアルコールの希釈溶液が噴霧され」た後の粉末紙粉等の部分に、引用発明とコーヒー抽出液抽出残渣を用いた動物用排泄物処理材という技術分野において共通する刊行物２記載の発明の「缶コーヒーやインスタントコーヒーの製造時に大量に排出されるコーヒー液抽出残渣から常温水又は常温を越える温度の加熱水で浸出し抽出した再抽出のコーヒー液」を、「付着、含浸させて乾燥」するとともに、コーヒー液抽出残渣から抽出されたコーヒー液を該周知慣用の濃度調整手段で所望の濃度となるように調整し、十分な量のコーヒー液成分を含有するものとして、本願補正発明の相違点オ．に係る構成とすることは、当業者が容易に想到し得たことである。
　
（６）本願補正発明の作用効果は、引用発明、刊行物２記載の発明、及び上記周知事項から当業者であれば予測できた範囲のものである。　
　したがって、本願補正発明は、引用発明、刊行物２記載の発明、及び上記周知事項に基いて当業者が容易に発明をすることができたものである。　
　
３−４．むすび
　以上のとおり、本願補正発明は、特許法第２９条第２項の規定により特許出願の際独立して特許を受けることができないものであり、本件補正が、仮に改正前の特許法第１７条の２第４項第２号の特許請求の範囲の減縮を目的とするものに該当するものであるとしても、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
１．本願発明
　平成２４年２月２２日付けの手続補正は、上記のとおり却下されたので、本願の請求項１〜１８に係る発明は、平成２３年３月２２日付けの手続補正書の特許請求の範囲の請求項１〜１８に記載された事項によって特定されるものと認められるところ、そのうち請求項１１に係る発明（以下「本願発明」という。）は次のとおりである。
「【請求項１１】
トイレットペーパー廃材、ティッシュペーパー廃材、化粧紙廃材、紙ナプキン廃材、ちり紙廃材、紙綿廃材、紙タオル廃材又は便座シート廃材等の動物用排泄物処理材の廃材、寝具用シーツ廃材、マスク廃材、アイマスク廃材、座席用ヘッドカバー廃材、枕カバー廃材、バフ粉、ダンボール屑、新聞屑、雑誌屑、木材屑、鉋屑若しくは不織布屑又はこれらの中の二以上を５ｍｍ以下の粒度に粉砕し、この粉砕物と、焙煎コーヒー豆の抽出残渣の粉砕物若しくは茶殻の粉砕物又はコーヒー豆の抽出残渣粉砕物及び茶殻の粉砕物とを混合し、この混合物を、水の存在下に粒状に成形し、成形された粒状物の面上に、繊維質の廃棄物及び吸水性樹脂を含む被覆材料を付着させて被覆材料層を形成し、前記被覆材料層上に、コーヒー抽出液の液量を４／５以下の量に濃縮した濃縮液を含浸させ、これを乾燥することにより、０．３重量％以上のコーヒー抽出液の乾燥物を含有し、濡れて粘着機能を発揮する性質を有する被覆層部を形成することを特徴とする粒状の動物用排泄物処理材の製造方法。」
　
２．引用刊行物とその記載事項
　原査定の拒絶の理由に引用された刊行物１〜２とその記載事項は、前記の「第２　３．３−１．」に記載したとおりである。
　
３．本願発明と引用発明との対比
（１）両発明の対応関係
(a)引用発明の「コーヒー抽出液抽出残渣」は、本願発明の「焙煎コーヒー豆の抽出残渣」に相当し、以下同様に、
「猫のトイレ用の砂」は、「直径６ｍｍ、長さ７ｍｍ」のものであって、粒状のものといえるので、「粒状の動物用排泄物処理材」に相当する。
(b)本願発明の「トイレットペーパー廃材、ティッシュペーパー廃材、化粧紙廃材、紙ナプキン廃材、ちり紙廃材、紙綿廃材、紙タオル廃材又は便座シート廃材等の動物用排泄物処理材の廃材、寝具用シーツ廃材、マスク廃材、アイマスク廃材、座席用ヘッドカバー廃材、枕カバー廃材、バフ粉、ダンボール屑、新聞屑、雑誌屑、木材屑、鉋屑若しくは不織布屑又はこれらの中の二以上を５ｍｍ以下の粒度に粉砕」したものは、材料の選択肢として、「紙ナプキン廃材」を包含するものであるので、引用発明の「オムツ及びナプキン廃材」は、本願発明の「トイレットペーパー廃材、ティッシュペーパー廃材、化粧紙廃材、紙ナプキン廃材、ちり紙廃材、紙綿廃材、紙タオル廃材又は便座シート廃材等の動物用排泄物処理材の廃材、寝具用シーツ廃材、マスク廃材、アイマスク廃材、座席用ヘッドカバー廃材、枕カバー廃材、バフ粉、ダンボール屑、新聞屑、雑誌屑、木材屑、鉋屑若しくは不織布屑又はこれらの中の二以上」のもの（以下、「ナプキン廃材等」と略記する。）に相当する。
　また、引用発明の「配合物を製造し、ミートチョッパーに送り、造粒し、小さい円柱状の白色造粒物が形成され」ることは、配合物が「水」も配合されたものであるので、本願発明の「水の存在下に粒状に成形」することに相当する。
　そして、引用発明の「含水率５５％のコーヒー抽出液抽出残渣及び水、着色物質として、オムツ及びナプキン廃材の紙粉、配合物質として、ハイモ株式会社製の高吸水性樹脂ハイモサブ５００及び安息香酸を入れて、白色に着色されたコーヒー抽出液抽出残渣配合物を製造し、ミートチョッパーに送り、造粒し、小さい円柱状の白色造粒物が形成され」ることと、本願発明の「トイレットペーパー廃材、ティッシュペーパー廃材、化粧紙廃材、紙ナプキン廃材、ちり紙廃材、紙綿廃材、紙タオル廃材又は便座シート廃材等の動物用排泄物処理材の廃材、寝具用シーツ廃材、マスク廃材、アイマスク廃材、座席用ヘッドカバー廃材、枕カバー廃材、バフ粉、ダンボール屑、新聞屑、雑誌屑、木材屑、鉋屑若しくは不織布屑又はこれらの中の二以上を５ｍｍ以下の粒度に粉砕し、この粉砕物と、焙煎コーヒー豆の抽出残渣の粉砕物若しくは茶殻の粉砕物又はコーヒー豆の抽出残渣粉砕物及び茶殻の粉砕物とを混合し、この混合物を、水の存在下に粒状に成形」することとは、「ナプキン廃材等の細粒と、焙煎コーヒー豆の抽出残渣の粉砕物若しくは茶殻の粉砕物又はコーヒー豆の抽出残渣とを混合し、この混合物を、水の存在下に粒状に成形」する点で共通する。
(c)引用発明の「小さい円柱状の白色造粒物」は、「ミートチョッパーに送り、造粒し、・・・形成され」たものであるので、本願発明の「成形された粒状物」に相当する。
　また、引用発明の「粉末紙粉」と、本願発明の「繊維質の廃棄物」とは、前者が繊維質を含んでいることが明らかなので、「繊維質の物」で共通する。
　そして、引用発明の「パウダーに近い粉末紙粉、ポリビニルアルコールの希釈溶液が噴霧され」ることで、「着色造粒物」に対して粉末紙粉やポリビニルアルコールを付加すること（以下、「粉末紙粉等の部分」を「付加すること」と略記する。）と、本願発明の「成形された粒状物の面上に、繊維質の廃棄物及び吸水性樹脂を含む被覆材料を付着させて被覆材料層を形成」することとは、前者が、「着色造粒物」に対して「噴霧され」ることで粉末紙粉等の部分を付加するものであって、粒状物の面上に「被覆材料層を」「付着」及び「形成」するといえるものであるので、両者は
「成形された粒状物の面上に、繊維質の物を含む被覆材料を付着させて被覆材料層を形成」することで共通する。
　
(d)引用発明の「パウダーに近い粉末紙粉、ポリビニルアルコールの希釈溶液が噴霧され」た部分の性質は、「ポリビニルアルコール」が、刊行物１記載事項（オ）の「尿に触れて粉体粒子相互を接着させて、容易に塊を形成して、尿に触れた部分を容易に取り出し易くさせるように、接着機能を有する」ものであるので、本願発明の「濡れて粘着機能を発揮する性質」に相当する。
　そして、引用発明の着色造粒物に、粉末紙粉等が噴霧されたものが「熱風乾燥された」ことと、本願発明の「前記被覆材料層上に、コーヒー抽出液の液量を４／５以下の量に濃縮した濃縮液を含浸させ、これを乾燥することにより、０．３重量％以上のコーヒー抽出液の乾燥物を含有し、濡れて粘着機能を発揮する性質を有する被覆層部を形成する」こととは、「被覆材料層を乾燥することにより、濡れて粘着機能を発揮する性質を有する被覆層部を形成する」ことで共通する。
　
（２）両発明の一致点
「ナプキン廃材等の細粒と、焙煎コーヒー豆の抽出残渣の粉砕物とを混合し、この混合物を、水の存在下に粒状に成形し、成形された粒状物の面上に、繊維質の物を含む被覆材料を付着させて被覆材料層を形成し、被覆材料層を乾燥することにより、濡れて粘着機能を発揮する性質を有する被覆層部を形成する粒状の動物用排泄物処理材の製造方法。」
　
（３）両発明の相違点
　ア’．ナプキン廃材等の細粒が、本願発明はナプキン廃材等を「５ｍｍ以下の粒度に粉砕し」たものであるのに対して、引用発明は、オムツ及びナプキン廃材の「紙粉」であるが、粒度及び粉砕したものかどうかは不明な点。
　イ’．混合される焙煎コーヒー豆の抽出残渣が、本願発明は粉砕物であるのに対して、引用発明は、粉砕物かどうか不明な点。
　ウ’．被覆材料の繊維質の物が、本願発明は「繊維質の廃棄物」なのに対して、引用発明は、「粉末紙粉」であって、廃棄物かどうか不明な点。
　エ’．付着させる被覆材料が、本願発明は「吸水性樹脂」を含むのに対して、引用発明は、そうでない点。
　オ’．被覆材料層が、本願発明は「被覆材料層上に、コーヒー抽出液の液量を４／５以下の量に濃縮した濃縮液を含浸させ、これを乾燥することにより、０．３重量％以上のコーヒー抽出液の乾燥物を含有」したものなのに対して、引用発明はそうでない点。
　
４．本願発明の容易推考性の検討
（１）相違点ア’．について、
　刊行物２の記載事項（カ）には、「紙おむつ廃材を、例えば１００ｍｍ以下の粒度の紙おむつ粉砕物又は該紙おむつ粉砕物となるように粉砕し、これらの粉砕物を分級して、その構成成分である紙粉及び高吸水性樹脂を・・・原料として使用することができる。紙おむつ廃材粉砕物には、ポリエチレン、ポリプロピレン、レーヨン及び合成ゴム材等が含有されるが、これらの材料は、５ｍｍ以下、好ましくは３ｍｍ以下の粉砕物とすることにより保水性を発揮することが分かった」と記載されている。
　そして、引用発明のオムツ及びナプキン廃材の「紙粉」として、刊行物２記載の発明の廃材を粉砕したものを用いることは、両者とも廃材を使用するものであることから、当業者が容易になし得ることである。
　さらに、(a)「粉」が、一般的に小径のものを表す言葉であること、(b)引用発明の猫のトイレ用の砂が、「直径６ｍｍ、長さ７ｍｍ」であることから、配合前の原料の紙粉は、それより相当小さなものと認識されること、(c)刊行物２に粉砕物寸法として「５ｍｍ以下」「３ｍｍ以下」のものも例示されていることを考慮すると、上記粉砕したものを用いるにあたり、５ｍｍ以下の粒度を採用することも当業者が適宜選択し得ることである。
　そうすると、引用発明のオムツ及びナプキン廃材の「紙粉」を、刊行物２記載の廃材を粉砕したものとして、本願発明の相違点ア’．に係る構成とすることは、当業者が容易に想到し得たことである。
　
（２）相違点イ’．について、
　引用発明のコーヒー抽出液抽出残渣は、オムツ及びナプキン廃材の紙粉、高吸水性樹脂ハイモサブ５００等と混合されたのち、ミートチョッパーで造粒されるものであり、(a)刊行物１の記載事項（ア）に「１ミリメートル以上の粒径を有する造粒物」と、同記載事項（キ）に「１ｍｍ以上、好ましくは３ｍｍ以上の粒径の造粒物」と記載されている様に１ｍｍ程度の小径の造粒物とするものを含み、(b)紙粉等の他の混合物と混合して造粒するものであるから、混合物が均一に混合されるようになすために、コーヒー抽出液抽出残渣も可及的に小さいものとすることが望ましいと想定され、そのために前記（１）の廃材と同様に粉砕したものとして、本願発明の相違点イ’．に係る構成とすることは、当業者が容易に想到し得たことである。
　
（３）相違点ウ’．について、
　刊行物１の記載事項（キ）には、「本発明は、従来、廃物とされて、その処理が問題とされていたコーヒー抽出液抽出残渣、茶殻、活性炭入りパルプ廃物、紙粉等の可燃性の廃物を、動物の排泄物処理材として有効に利用するものであり・・」と、紙粉等の廃物を有効に利用することが示唆されており、同記載事項（ク）に「オムツ及びナプキン廃材の紙粉」と、具体的に紙粉として廃棄物を使用することが記載されている。
　そうすると、引用発明の着色造粒物に噴霧する「粉末紙粉」としても、上記のように廃棄物の紙粉を採用して、本願発明の相違点ウ’．に係る構成とすることは、当業者が容易に想到し得たことである。
　
（４）相違点エ’．について、
　刊行物１の記載事項（ア）には、【請求項１】等の「造粒物の表面に付着している着色物質及び接着能を有する配合物質」について【請求項３】に「配合物質が、紙粉、・・高吸水性樹脂、・・或はこれら２種以上の混合物」とすることが、同記載事項（ケ）に、高吸水性樹脂である「ハイモ株式会社製の高吸水性樹脂ハイモサブ５００」を噴霧することが記載されており、これらの示唆に基いて、引用発明の着色造粒物に噴霧する「粉末紙粉」や「ポリビニルアルコールの希釈溶液」に加えて、高吸水性樹脂も造粒物の表面に付着するものとして、本願発明の相違点エ’．に係る構成とすることは、当業者が容易に想到し得たことである。
　
（５）相違点オ’．について、
　ア．本願発明と刊行物２記載の構成との対応関係
(a)刊行物２記載の発明の「缶コーヒーやインスタントコーヒーの製造時に大量に排出されるコーヒー液抽出残渣」は、本願発明の「焙煎コーヒー豆の抽出残渣」及び「コーヒー飲料産業から排出されるコーヒー液抽出残渣」に相当する。
(b)刊行物２記載の発明の「第一紙層部５」と、本願発明の「被覆材料層」とは、前者が、「排泄用として使用される動物用シーツ」の一構成部分をなすものであるので、「動物用排泄物処理材の構成部分」で共通する。
　そして、刊行物２記載の発明の「第一紙層部５に、缶コーヒーやインスタントコーヒーの製造時に大量に排出されるコーヒー液抽出残渣から・・・常温を越える温度の加熱水で浸出し抽出した再抽出のコーヒー液を、噴霧等の塗布法により付着、含浸させて乾燥して得られる」ものと、本願発明の「コーヒー抽出液の液量を４／５以下の量に濃縮した濃縮液を含浸させ、これを乾燥することにより、０．３重量％以上のコーヒー抽出液の乾燥物を含有し、濡れて粘着機能を発揮する性質を有する被覆層部」とは、「コーヒー抽出液を含浸させ、これを乾燥することにより、コーヒー抽出液の乾燥物を含有したコーヒー液抽出残渣を使用した動物用排泄物処理材の構成部分」である点で共通する。
　
　そうすると、刊行物２記載の発明は、本願発明の表現に倣えば
「コーヒー抽出液を含浸させ、これを乾燥することにより、コーヒー抽出液の乾燥物を含有したコーヒー液抽出残渣を使用した動物用排泄物処理材の構成部分とする方法。」
と言い換えることができる。
　
　イ．引用発明の粉末紙粉等の部分（本願発明の「被覆材料層」に相当するもの）に刊行物２記載の発明を適用することに関して
　(a)引用発明は、刊行物１記載事項（ウ）に「本発明者は、コーヒー抽出液抽出残渣が、大きい吸臭能を有する点に着目して、コーヒー抽出液抽出残渣を動物の排泄物処理材として有効利用することを提案した。」と記載されている様に、コーヒーの吸臭能を前提とし、粒状物の部分に、吸臭能を有するコーヒーの成分を有するコーヒー抽出液抽出残渣を含有したものであるものの、粉末紙粉等の部分（本願発明の「被覆材料層」に相当するもの）にそのような物質を含有したものではない。
　(b)しかし、刊行物１記載事項（オ）に「着色乾燥造粒物に・・・接着機能を有する配合物質を配合するのが好ましい。」と、同記載事項（カ）に「焙煎コーヒー豆のコーヒー抽出液抽出残渣に高吸水性樹脂を配合する」と記載されているのに対して、刊行物１記載事項（カ）に「着色造粒物には、造粒後、更に接着能を有する配合物質、高吸水性樹脂、殺菌作用を有する配合物質又はその他配合物質をまぶす・・・のが好ましい。」と記載されているように、他にも、国際公開ＷＯ９７／０２７３８号の第１４頁第２０〜２１行に「殺菌作用を有する物質を・・粒状芯部及び被覆層部に添加することが出来る」と記載されている様に、動物用排泄物処理材において、所望の機能を発揮する物質を、被覆層部にも含有させることは、普通に行われていることである。
　(c)また、刊行物２記載事項（ウ）に、「コーヒー液抽出残渣からの浸出液・・が、・・菌の増殖を・・阻害する」と、同記載事項（ケ）に、「コーヒー液抽出残留廃液を含有するコーヒー液抽出残渣からの浸出液の乾燥物・・が含まれているので、・・・高い脱臭機能を有する。」と記載されている様に、コーヒー液抽出残渣からの浸出液は、菌の増殖を阻害し、脱臭機能を有する性質を持つものと認識されているものである。
　(d)そうすると、引用発明の粉末紙粉等の部分（本願発明の「被覆層部」に相当するもの）にも、粒状物の部分のコーヒー抽出液抽出残渣と同様の、菌の増殖阻害機能や吸臭能を有するコーヒーの成分を含有させることは、当業者が容易になし得ることであり、それを具現化する為に、引用発明の「パウダーに近い粉末紙粉、ポリビニルアルコールの希釈溶液が噴霧され」た後の粉末紙粉等の部分に、引用発明とコーヒー抽出液抽出残渣を用いた動物用排泄物処理材という技術分野において共通する刊行物２記載の発明の「缶コーヒーやインスタントコーヒーの製造時に大量に排出されるコーヒー液抽出残渣から常温水又は常温を越える温度の加熱水で浸出し抽出した再抽出のコーヒー液」を、「付着、含浸させて乾燥」することは当業者が容易になし得ることである。
　
　ウ．コーヒー液の乾燥物の割合、及び濃縮液とすることに関して、
　(a)まず、刊行物２記載の発明の動物用シーツは、刊行物２記載事項（キ）に、「コーヒー豆のコーヒー液抽出残渣からの浸出液・・１００グラム中に含まれ、コーヒー液成分の一である・・殺菌作用を有するタンニンの量は０．０４ｇ／１００ｇ以上、好ましくは、０．１ｇ以上であるのが好ましい」と記載されている様に、十分な量のコーヒー液成分を含有することが必要なものであるので、刊行物２記載の発明のコーヒー液抽出残渣から抽出されたコーヒー液を含浸させ乾燥する手法を用いるにあたり、十分な量のコーヒー液成分を含有するものとすることは、当業者が通常なし得ることである。
　(b)そして、刊行物２記載事項（ク）に、「含浸させる・・コーヒー液抽出残渣からの浸出液・・の濃度は、浸出時の抽出残渣・・の単位重量に対して使用する浸出液としての水又は加熱水の容量を変えて調整することができる。」と記載されている様に、刊行物２記載の発明において、浸出液の濃度を調整することが示唆されており、さらに、濃縮が、濃度調整手段として周知慣用のものであることを考慮すると、刊行物２記載の発明のコーヒー液抽出残渣から抽出されたコーヒー液を、該周知慣用の濃度調整手段で所望の濃度となるように調整することは、上記十分な量のコーヒー液成分を含有するものとするために、当業者が適宜採用し得たことと認められる。
　一方、本願発明において、「液量を４／５以下の量に濃縮」する点について、本願明細書の記載を参照すると、段落【００１５】に「コーヒー抽出液中の可溶固形成分濃度が低いと、動物用排泄物処理材に目的のコーヒー抽出液の乾燥物量を含有させることができないこととなるために、本発明においては、可溶固形成分濃度が高められたコーヒー抽出液の濃縮液が、有機質の廃棄物を含む被覆材料に混合される。本発明においては、被覆時に使用されるコーヒー抽出液の濃縮液は、焙煎コーヒー豆から抽出されたコーヒー抽出液について、該コーヒー抽出液の液量を、少なくとも５／６以下、
好ましくは４／５以下、さらに好ましくは、３／４以下に蒸発濃縮することにより調製される
　そうすると、本願発明のように「液量を４／５以下の量に濃縮」することは、十分な量のコーヒー液成分を含有するものとするために必要な数値範囲を規定していることに他ならず、そのような必要な数値範囲を設定することは、当業者が普通に発揮することができる能力の範囲内の事項であることから、上記(a)の十分な量のコーヒー液成分を含有するものとするために、用いるコーヒー抽出液に含まれるコーヒー抽出成分の濃度などに応じて、当業者が適宜設定することができる事項ということができる。
　(c)また、本願発明において、「０．３重量％以上のコーヒー抽出液の乾燥固形物」を用いる点について、本願明細書の記載を参照すると、段落【００１７】に「コーヒー抽出液の乾燥物は、コーヒー抽出液の濃縮液の乾燥物をも包含するものであり、動物用排泄物処理材１００グラムあたりのコーヒー抽出液の乾燥物の量は、０．１グラム以上、特に、０．１乃至１０グラム含有されるのが好ましいが、
さらに好ましくは０．３グラム以上、特に、０．３乃至３グラム含有されるのが好ましい
　そうすると、本願発明のように「０．３重量％以上のコーヒー抽出液の乾燥物」を用いることも、コーヒー抽出液の乾燥が細菌などの繁殖を抑制するといった効果を発揮するために必要な数値範囲を規定していることに他ならず、そのような必要な数値範囲を設定することは、当業者が普通に発揮することができる能力の範囲内の事項であることから、上記(a)の十分な量のコーヒー液成分を含有するものとするために、用いるコーヒー抽出液に含まれるコーヒー抽出成分の濃度などに応じて、当業者が適宜設定することができる事項ということができる。
　(d)そうすると、上記イ．に記載した、引用発明の「パウダーに近い粉末紙粉、ポリビニルアルコールの希釈溶液が噴霧され」た後の粉末紙粉等の部分に、引用発明とコーヒー抽出液抽出残渣を用いた動物用排泄物処理材という技術分野において共通する刊行物２記載の発明の「缶コーヒーやインスタントコーヒーの製造時に大量に排出されるコーヒー液抽出残渣から常温水又は常温を越える温度の加熱水で浸出し抽出した再抽出のコーヒー液」を、「付着、含浸させて乾燥」するとともに、コーヒー液抽出残渣から抽出されたコーヒー液を該周知慣用の濃度調整手段で所望の濃度となるように調整し、十分な量のコーヒー液成分を含有するものとして、本願発明の相違点オ’．に係る構成とすることは、当業者が容易に想到し得たことである。
　
（６）本願発明の作用効果は、引用発明、刊行物２記載の発明、及び上記周知事項から当業者であれば予測できた範囲のものである。　
　したがって、本願発明は、引用発明、刊行物２記載の発明、及び上記周知事項に基いて当業者が容易に発明をすることができたものである。
　
５．むすび
　したがって、本願発明については、特許法第２９条第２項の規定により特許を受けることができない。
　そうすると、このような特許を受けることができない発明を包含する本願は、本願の他の請求項に係る発明について検討するまでもなく拒絶されるべきものである。
　よって、結論のとおり審決する。